(57)【要約】【課題】本発明は、位相ピットによってＢＣＡデータを記録し、当該ＢＣＡデータを的確に読み出すことが可能なＤＶＤなどの光ディスクを提供すること。【解決手段】ＤＶＤ１００は、リードイン領域１０４の内側に、制御情報を記録するＢＣＡ領域１０３を有し、当該ＢＣＡ領域に記録されるＢＣＡデータである制御データを、ＢＣＡのストライプ形状と同等の回転方向の長さを単一の位相ピットまたはマルチピットと、複数のトラックにおいて同様の位相ピットを配列させることによって記録する。【選択図】      図４
2004164758.tif 000002
【特許請求の範囲】
【請求項１】
コンテンツ情報が記録されるコンテンツ情報領域と、
前記コンテンツ情報の再生を制御する制御情報が、各トラック毎に位相ピットを回転方向に帯状に形成させ、当該各トラック毎の帯状の位相ピットを当該光ディスクの何れの半径方向に対しても同一に配列させることによって記録される制御情報領域と、
が設けられ、
前記制御情報領域には、各ビットが前記位相ピットの回転方向のピット数または各ピットのピット幅の少なくとも何れか一方と半径方向の前記位相ピットの配列によって形成されて前記制御情報が記録されることを特徴とする再生専用の光ディスク。
【請求項２】
請求項１に記載の再生専用の光ディスクにおいて、
前記制御情報領域には、前記制御情報がバーコード形式によって記録されることを特徴とする再生専用の光ディスク。
【請求項３】
請求項１または２に記載の再生専用の光ディスクにおいて、
前記制御領域が、ＢＣＡ（Ｂｕｒｓｔ  Ｃｕｔｔｉｎｇ  Ａｒｅａ）領域であることを特徴とする再生専用の光ディスク。
【請求項４】
請求項１乃至３の何れか一項に記載の再生専用の光ディスクにおいて、
前記制御情報領域には、前記位相ピットの回転方向の各ピット幅が１ビット長の１／４以下、または、前記ピット数の全体の幅が１ビット長の１／４以下の少なくとも何れか一方により形成された各ビットによって前記制御情報が記録されることを特徴とする再生専用の光ディスク。
【請求項５】
コンテンツ情報が記録されるコンテンツ情報領域と、
前記コンテンツ情報の再生を制御する制御情報が、各トラック毎に位相ピットを回転方向に帯状に形成し、当該各トラック毎の帯状の位相ピットを当該光ディスクの何れの半径方向に対しても同一に配列することによって記録される制御情報領域と、が設けられ、前記制御情報領域には、各ビットが前記位相ピットの回転方向のピット数または各ピットのピット幅の少なくとも何れか一方と半径方向の前記位相ピットの配列によって形成されて前記制御情報が記録される光記録媒体を再生する再生装置であって、
前記位相ピットからの反射光量に基づいて前記光記録ディスクから各ピットデータを読み出す読出手段と、
前記読み出した各ピットデータに対して２値化処理を行い、ビッドデータを取得するデータ処理手段と、
前記取得されたビットデータに基づいて前記制御情報を生成する生成手段と、
を備えたことを特徴とする再生装置。
【請求項６】
請求項５に記載の再生装置において、
各ビットが前記位相ピットの回転方向のピット数と半径方向の前記位相ピットの配列によって形成されている場合であって、
前記データ処理手段が、
前記読出手段によって読み出された前記各ピットデータに対して予め定められた波形処理を行うフィルタと、
前記波形処理されたデータに対して２値化処理を行う２値化処理手段と、
を有することを特徴とする再生装置。
【請求項７】
請求項５に記載の再生装置において、
各ビットが前記位相ピットの回転方向のピット数と半径方向の前記位相ピットの配列によって形成されている場合であって、
前記データ処理手段が、
前記読出手段によって読み出された前記各ピットデータに対して値化処理を行う２値化処理手段と、
前記２値化処理された各ピットデータのデータ数と当該ピットデータの値に基づいてビットデータを取得する取得手段と、
を有することを特徴とする再生装置。
【請求項８】
コンテンツ情報が記録されるコンテンツ情報領域と、
前記コンテンツ情報の再生を制御する制御情報が、各トラック毎に位相ピットを回転方向に帯状に形成し、当該各トラック毎の帯状の位相ピットを当該光ディスクの何れの半径方向に対しても同一に配列することによって記録される制御情報領域と、が設けられ、前記制御情報領域には、各ビットが前記位相ピットの回転方向のピット数または各ピットのピット幅の少なくとも何れか一方と半径方向の前記位相ピットの配列によって形成されて前記制御情報が記録される光記録媒体を再生する再生方法であって、
前記位相ピットからの反射光量に基づいて前記光記録ディスクから各ピットデータを読み出す読出工程と、
前記読み出した各ピットデータに対して２値化処理を行い、ビッドデータを取得するデータ処理工程と、
前記取得されたビットデータに基づいて前記制御情報を生成する生成工程と、
を含むことを特徴とする再生方法。
【請求項９】
請求項８に記載の再生方法において、
各ビットが前記位相ピットの回転方向のピット数と半径方向の前記位相ピットの配列によって形成されている場合であって、
前記データ処理工程は、
前記読出工程によって読み出された前記各ピットデータに対して予め定められた波形処理を行う波形処理工程と、
前記波形処理されたデータに対して２値化処理を行う２値化処理工程と、
を含むことを特徴とする再生方法。
【請求項１０】
請求項８に記載の再生方法において、
各ビットが前記位相ピットの回転方向のピット数と半径方向の前記位相ピットの配列によって形成されている場合であって、
前記データ処理工程は、
前記読出工程によって読み出された前記各ピットデータに対して値化処理を行う２値化処理工程と、
前記２値化処理された各ピットデータのデータ数と当該ピットデータの値に基づいてビットデータを取得する取得工程と、
を含むことを特徴とする再生方法。
【請求項１１】
コンテンツ情報が記録されるコンテンツ情報領域と、
前記コンテンツ情報の再生を制御する制御情報が、各トラック毎に位相ピットを回転方向に帯状に形成し、当該各トラック毎の帯状の位相ピットを当該光ディスクの何れの半径方向に対しても同一に配列することによって記録される制御情報領域と、が設けられ、前記制御情報領域には、各ビットが前記位相ピットの回転方向のピット数または各ピットのピット幅の少なくとも何れか一方と半径方向の前記位相ピットの配列によって形成されて前記制御情報が記録される光記録ディスクを、コンピュータによって再生する再生プログラムであって、
前記コンピュータを
前記位相ピットからの反射光量に基づいて前記光記録ディスクから各ピットデータを読み出す読出手段、
前記読み出した各ピットデータに対して２値化処理を行い、ビッドデータを取得するデータ処理手段、
前記取得されたビットデータに基づいて前記制御情報を生成する生成手段、
として機能させることを特徴とする再生プログラム。
【請求項１２】
請求項１１に記載の再生プログラムにおいて、
各ビットが前記位相ピットの回転方向のピット数と半径方向の前記位相ピットの配列によって形成されている場合であって、
前記コンピュータを
前記読み出された各ピットデータに対して予め定められた波形処理を行う波形処理手段、
前記波形処理されたデータに対して２値化処理を行い、ビットデータを取得する２値化処理手段、
として機能させることを特徴とする再生プログラム。
【請求項１３】
請求項１１に記載の再生プログラムにおいて、
各ビットが前記位相ピットの回転方向のピット数と半径方向の前記位相ピットの配列によって形成されている場合であって、
前記コンピュータを、
前記読出工程によって読み出された前記各ピットデータに対して値化処理を行う２値化処理手段、
前記２値化処理された各ピットデータのデータ数と当該ピットデータの値に基づいてビットデータを取得する取得手段、
として機能させることを特徴とする再生プログラム。
【請求項１４】
前記１１乃至１３の何れか一項に記載の再生プログラムをコンピュータに読み取り可能に記録したことを特徴とする記録媒体。
【発明の詳細な説明】
【０００１】
【発明の属する技術分野】
本発明は、光ディスク上に記録される情報の記録形式に関する。
【０００２】
【従来の技術】
近年、高密度の情報記録が可能なディスク状の情報記録媒体として、いわゆるＤＶＤ（Ｄｉｇｉｔａｌ    Ｖｅｒｓａｔｉｌｅ  Ｄｉｓｃ）が広く一般化しつつある。
【０００３】
通常、ＤＶＤなどの光ディスクには、音楽、映像などのコンテンツ情報の他に当該コンテンツ情報の再生制御を行う制御情報が記録されるようになっており、このような光ディスクは、制御情報を記録する専用の領域を有している。
【０００４】
従来、このような再生制御領域は、光ディスクが対応している規格書やバージョンを示すコード、ディスクの物理的な情報、データ領域の最終アドレス、および、データに著作権保護技術など、最内周にトラッキングを行わずに光ディスクに記録されたデータを読み取る際の各情報を提供するためのデータを記録する領域を有しており、この領域の代表的なフォーマット形式に、データを位相符号化処理（Ｐｈａｓｅ  Ｅｎｃｏｄｅｄ）してピットに記録する形式と、データをバーコードに変換して記録する形式がある。
【０００５】
前者のデータを位相符号化処理してピットに記録する形式は、一般的には、位相ピットによってデータを記録する再生専用の光ディスクに用いられるようになっており、その記録形式によって記録された領域をＰＥＰ（Ｐｈａｓｅ  Ｅｎｃｏｄｅｄ  Ｐａｒｔ）領域という。
【０００６】
一方、後者のデータをバーコードに変換して当該領域がストライプ上になるように記録する形式は、一般的には、結晶状態および非結晶状態の反射率の違いとしてデータ記録を行う相変化ディスクなど多数回書き換え可能な記録膜から構成される書き換え用の光ディスクに用いられるようになっており、その記録形式によって記録された領域をＢＣＡ（Ｂｕｒｓｔ  Ｃｕｔｔｉｎｇ  Ａｒｅａ）領域という（例えば、特許文献１参照。）。
【特許文献１】
特開２００１−２４３６３４号公報
【０００７】
【発明が解決しようとする課題】
しかしながら、ＰＥＰ領域を有する再生専用の光ディスクとＢＣＡ領域を有する書き換え用の光ディスクを１の再生装置で再生する場合には、それぞれの記録形式に対する再生処理が異なるため、再生装置にそれぞれの記録形式に対応する再生機構を有する必要があった。
【０００８】
本発明は、上記の各問題点に鑑みて為されたもので、その課題の一例としては、位相ピットによってＢＣＡデータを記録し、当該ＢＣＡデータを的確に読み出すことができ、１の再生機構によって再生可能なＤＶＤなどの光ディスクを提供することである。
【０００９】
【課題を解決するための手段】
上記の課題を解決するために、請求項１に記載の発明は、コンテンツ情報が記録されるコンテンツ情報領域と、前記コンテンツ情報の再生を制御する制御情報が、各トラック毎に位相ピットを回転方向に帯状に形成させ、当該各トラック毎の帯状の位相ピットを当該光ディスクの何れの半径方向に対しても同一に配列させることによって記録される制御情報領域と、が設けられ、前記制御情報領域には、各ビットが前記位相ピットの回転方向のピット数または各ピットのピット幅の少なくとも何れか一方と半径方向の前記位相ピットの配列によって形成されて前記制御情報が記録される構成を有している。
【００１０】
また、請求項４に記載の発明は、コンテンツ情報が記録されるコンテンツ情報領域と、前記コンテンツ情報の再生を制御する制御情報が、各トラック毎に位相ピットを回転方向に帯状に形成し、当該各トラック毎の帯状の位相ピットを当該光ディスクの何れの半径方向に対しても同一に配列することによって記録される制御情報領域と、が設けられ、前記制御情報領域には、各ビットが前記位相ピットの回転方向のピット数または各ピットのピット幅の少なくとも何れか一方と半径方向の前記位相ピットの配列によって形成されて前記制御情報が記録される光記録媒体を再生する再生装置であって、前記位相ピットの反射率に基づいて前記光記録ディスクから各ピットデータを読み出す読出手段と、前記読み出した各ピットデータに対して２値化処理を行い、ビッドデータを取得するデータ処理手段と、前記取得されたビットデータに基づいて前記制御情報を生成する生成手段と、を備えた構成を有している。
【００１１】
また、請求項７に記載の発明は、コンテンツ情報が記録されるコンテンツ情報領域と、前記コンテンツ情報の再生を制御する制御情報が、各トラック毎に位相ピットを回転方向に帯状に形成し、当該各トラック毎の帯状の位相ピットを当該光ディスクの何れの半径方向に対しても同一に配列することによって記録される制御情報領域と、が設けられ、前記制御情報領域には、各ビットが前記位相ピットの回転方向のピット数または各ピットのピット幅の少なくとも何れか一方と半径方向の前記位相ピットの配列によって形成されて前記制御情報が記録される光記録媒体を再生する再生方法であって、前記位相ピットの反射率に基づいて前記光記録ディスクから各ピットデータを読み出す読出工程と、前記読み出した各ピットデータに対して２値化処理を行い、ビッドデータを取得するデータ処理工程と、前記取得されたビットデータに基づいて前記制御情報を生成する生成工程と、を含む構成を有している。
【００１２】
また、請求項１０に記載の発明は、コンテンツ情報が記録されるコンテンツ情報領域と、前記コンテンツ情報の再生を制御する制御情報が、各トラック毎に位相ピットを回転方向に帯状に形成し、当該各トラック毎の帯状の位相ピットを当該光ディスクの何れの半径方向に対しても同一に配列することによって記録される制御情報領域と、が設けられ、前記制御情報領域には、各ビットが前記位相ピットの回転方向のピット数または各ピットのピット幅の少なくとも何れか一方と半径方向の前記位相ピットの配列によって形成されて前記制御情報が記録される光記録媒体を、コンピュータによって再生する再生プログラムであって、前記コンピュータを、前記位相ピットの反射率に基づいて前記光記録ディスクから各ピットデータを読み出す読出手段、前記読み出した各ピットデータに対して２値化処理を行い、ビッドデータを取得するデータ処理手段、前記取得されたビットデータに基づいて前記制御情報を生成する生成手段、として機能させる構成を有している。
【００１３】
【発明の実施の形態】
次に、本発明に好適な実施の形態について、図面に基づいて説明する。
【００１４】
なお、以下に説明する実施形態は、光ディスクであるＤＶＤおよびその再生装置について本発明を適用した場合の実施の形態である。
【００１５】
（Ｉ）ＢＣＡ領域
始めに、具体的な実施形態について説明する前に、図１を用いて本願の実施形態の前提となるＢＣＡ領域について説明する。
【００１６】
なお、以下のＢＣＡ領域は、書き換え用のＤＶＤであるＤＶＤ−ＲＷを用いて説明する。
【００１７】
また、図１は、ＢＣＡ領域に記録される再生信号とＢＣＡデータの対応を説明するための図である。
【００１８】
ＢＣＡ領域は、上述したように、一般的には、結晶状態および非結晶状態の反射率の違いとしてデータ記録を行う相変化ディスクなど多数回書き換え可能な記録膜から構成される書き換え用の光ディスクに用いられるようになっており、当該ＢＣＡ領域に記録されるデータがバーコード用のデータに変換され、当該領域がストライプ上になるように記録される。
【００１９】
例えば、ＢＣＡ領域は、図１（ａ）に示すように特定の識別情報に従って変調した変調信号に基づいてデータを記録するためのレーザをＢＣＡデータのパターン形状に合わせパルス的に照射し、図１（ｂ）に示すように、光ディスクの反射膜をストライプ状に一括破壊除去してデータを記録するようになっており、図１（ｃ）に示すように、反射膜が破壊除去された部分と残された部分とで、ストライプ状のＢＣＡデータが形成されるようになっている。
【００２０】
また、このストライプ状のＢＣＡデータのパターンを有する光ディスクを光学的情報記録再生装置２００の光ヘッドで再生すると、ＢＣＡデータでは反射膜が消失しているため、図１（ｄ）に示すように、変調信号は間欠的に欠落した波形となり、図１（ｅ）に示すように、この波形の欠落部分に対してフィルタ処理をかけることによって、図１（ｆ）に示すような再生情報を検出することができ、光記録媒体上に記録されている情報を得ることができるようになっている。
【００２１】
なお、このＢＣＡ領域は、上述のＰＥＰ領域と同様に、ＤＶＤの最内周に設けられており、トラッキング制御、リードパワー、トラックの区別（ランド又はグループ）などコンテンツ情報の再生制御に関する制御情報が記録されるようになっている。
【００２２】
このようにＢＣＡ領域を形成させ、スパッタリング時の膜構造を残すようにすることによって、初期化されても当該ＢＣＡ領域に記録された制御情報が消されることなく、保持できるようになっている。
【００２３】
（ＩＩ）再生専用の光ディスクとその再生装置の実施形態
次に、図２〜図６を用いて上述した各記録領域を前提として策定される本発明に係る再生専用の光ディスクおよびその再生装置の一例を説明する。
【００２４】
〔再生専用の光ディスク（ＤＶＤ）〕
まず、図２を用いて再生専用の光ディスク（ＤＶＤ）の物理的構造について説明する。
【００２５】
なお、本実施形態の光ディスクは、再生専用のＤＶＤの制御情報領域に、ＰＥＰ領域ではなく、ＢＣＡ領域を形成するようになっており、具体的には、回転方向に形成された複数の位相ピットと半径方向の当該位相ピットの配列によってバーコードを形成するようになっている。
【００２６】
また、図２は、本願に係る本実施形態における光ディスク（ＤＶＤ）の物理構造を示す図である。
【００２７】
本実施形態の再生専用のＤＶＤ（以下、単にＤＶＤという）１００は、図２に示すように、内側より、当該ＤＶＤ１００を後述する再生装置に固定するためのクランプ孔１０１と、この固定のための未記録領域１０２と、上述のような制御情報を記録するＢＣＡ領域１０３と、ＢＣＡ領域１０３に記録された制御情報とは異なる制御情報を記録するリードイン領域１０４と、コンテンツ管理情報が記録される記録領域１０５と、情報記録終了又は情報再生終了のための種々の情報が記録されているリードアウト領域１０６と、により構成されている。
【００２８】
なお、例えば、本実施形態のＢＣＡ領域１０３は、本発明に係る制御情報領域を構成し、本実施形態の記録領域１０５は、本発明に係るコンテンツ情報領域を構成する。
【００２９】
クランプ孔１０１は、後述する再生装置の図示しないスピンドルモータの回転軸に当該ＤＶＤ１００を固定するためのものであり、また、未記録領域１０２は、当該ＤＶＤ１００を固定するため、何れのデータも記録されていない領域である。
【００３０】
ＢＣＡ領域１０３には、予め定められた物理的なピット構造を有しており、この構造により、バーコード形式を実現し、上述のような制御情報を記録するようになっている。
【００３１】
なお、このＢＣＡ領域１０３の物理的なピット構造の詳細については、後述する。
【００３２】
また、ＢＣＡ領域１０３は、リードイン領域１０４の内側から約１．２ｍｍ程度の範囲に設けられており、このＢＣＡ領域１０３には、ｐｕｓｈ−ｐｕｌｌ方式の有無、位相ピットを検出する際の反射極性およびトラッキング方式などトラッキングの制御に関するトラッキング制御情報、当該ＤＶＤ１００の各種の情報であるディスクインフォメーション、並びに、当該ＤＶＤ１００自体の著作権情報（コピープロテクションの情報）が記録されるようになっている。
【００３３】
リードイン領域１０４には、ＢＣＡ領域１０３に記録された制御情報とは異なる制御情報が記録されるようになっており、具体的には、コンテンツ情報のデータの開始および終了アドレス、並びに、ＤＶＤ１００に記録されるコンテンツ情報における著作権情報などのコンテンツ管理情報などの情報が記録されるようになっている。
【００３４】
記録領域１０５には、実際に記録すべき情報、例えば、音声情報や映像情報などのコンテンツ情報（再生情報）が記録されるようになっている。
【００３５】
なお、著作権情報とは、例えば、著作権者名、記録される各コンテンツ情報の複写禁止か等を示すコピー制御情報、および、当該記録されるコンテンツ情報に対していわゆるスクランブル処理を施して記録する際の当該スクランブル処理を解除する情報などの使用規則情報をいう。
【００３６】
次に、図３および図４を用いて本実施形態のＢＣＡ領域１０３について説明する。
【００３７】
なお、図３は、本実施形態における位相ピットによってＢＣＡデータを形成する場合の物理構造を説明するための図であり、図４は、１のＢＣＡデータを形成する位相ピットの詳細図である。
【００３８】
上述したように、ＢＣＡデータは、ストライプ形状を有する必要があり、反射膜を焼き切るなどを行うことによって再生時に当該部分では低反射を形成させる必要がある。
【００３９】
本実施形態では、図３に示すストライプ形状となるように、位相ピットをトラックピッチ（Ｔｒａｃｋ  Ｐｉｔｃｈ）間隔で記録し、ＤＶＤ１００の回転方向における当該位相ピットと、半径方向に配列された位相ピットによってＢＣＡデータと同様の機能を持たせるようになっている。
【００４０】
具体的には、図４に示すように、ＢＣＡデータのストライプ形状と同等の回転方向の長さ（７μｍ〜１７μｍ）を単一の位相ピットまたは複数の位相ピット（以下、マルチピットという。）で表し、ＢＣＡデータのストライプ形状の半径方向の長さ（約１．２ｍｍ程度）を、複数のトラックにおいて同様の位相ピットを配列させることによって表すようになっている。
【００４１】
このように複数の位相ピットとトラックピッチの配列とによってＢＣＡデータを形成し、図４に示す再生信号、すなわち、ビットデータを構成させるようになっている。
【００４２】
また、このような位相ピットによってＢＣＡデータを再生する場合は、上述のような反射膜によって形成される場合と異なり、当該ＢＣＡデータが無反射光状態の信号レベルにならず、位相ピットでは、多少反射が起こることとなる。
【００４３】
しかしながら、当該位相ピットで生成されたＢＣＡデータでは、鏡面部よりは反射光が生じず、低反射となるので、後述するような再生装置２００の機器構成を備えるようにすれば、書き換え用ＤＶＤにおけるＢＣＡデータの再生回路と基本的には同様の再生回路によって再生することが可能になる。
【００４４】
なお、単一の位相ピットによってＢＣＡデータを形成する場合は、再生信号はＢＣＡデータと同様な信号が再生されるので、マルチピットによってＢＣＡデータを形成する場合は、そのままではＢＣＡデータと同様な再生信号を得ることができない。
【００４５】
しかしながら、当該ＢＣＡデータの平均反射率は、鏡面部の反射率よりは低下するため、後述するように、フィルタ２０６またはワンショットマルチバイブレータなどにより、当該部分の平均的な反射率を算出し、当該平均的な反射率に基づいて同様な再生信号を得るようになっている。
【００４６】
〔再生装置〕
次に、図５〜図７を用いて本実施形態の再生装置について説明する。
【００４７】
なお、本実施形態では、上記再生専用のＤＶＤを用いて説明するとともに、マルチピットによって制御情報が記録されるＢＣＡ領域を有するＤＶＤを用いて説明する。
【００４８】
また、図５は、本実施形態の再生装置の構成を示すブロック図であり、図６は、フィルタ処理および２値化処理によるデータ処理を説明するための図である。また、図７は、制御情報を読み出す動作を示すフローチャートである。
【００４９】
再生装置２００は、図５に示すように、当該再生装置２００に格納されたＤＶＤ１００が半導体レーザを用いてピットデータを取得するピックアップ２０１と、取得したピットデータに基づいて再生信号を生成するアンプ２０２と、再生信号に対して予め設定された復調処理を施して復調信号を生成する復調部２０３と、復調信号から所定の情報を取得するとともに後述する復号化を行うことによって音声情報及び映像情報を解読して取得する復号化部２０４と、解読した音声情報および映像情報を所定形式の情報に変換して外部に出力するデコーダ２０５と、入力されたピットデータの高域成分をカットするフィルタ２０６と、高域成分がカットされたピットデータに対して２値化処理するスライサ２０７と、２値化処理されたピットデータをＢＣＡデータにデコードするＢＣＡデータデコーダ２０８と、バスを介して必要な制御情報の授受を行いつつ上記各構成部材を統括制御するとともに、ＢＣＡデータに基づいて制御情報を生成する制御部２０９とを備えている。
【００５０】
なお、例えば、本実施形態のピックアップ２０１は、本発明に係る読出手段を構成し、スライサ２０７は、本発明に係るデータ処理手段および２値化処理手段を構成する。また、例えば、本実施形態のフィルタ２０６は、本発明に係るデータ処理手段およびフィルタ２０６を構成し、本実施形態の制御部２０９は、本発明に係るデータ処理手段および取得手段を構成する。
【００５１】
ピックアップ２０１は、再生用の一定強度の光ビームを射出し、位相ピットに対する反射光を図示しない受光部で受光するようになっており、受光した当該反射光の強度変化に対応したピットデータ（ＳＵＭ信号）を生成し、アンプ２０２およびフィルタ２０６に出力するようになっている。
【００５２】
また、このピックアップ２０１では、制御部２０９の制御に基づいてピットデータのアンプ２０２またはフィルタ２０６への切換が制御されるようになっており、具体的には、ピックアップ２０１がＢＣＡ領域１０３を照射しているときには、ピットデータをフィルタ２０６に出力するようになっている。
【００５３】
なお、ＢＣＡ領域１０３は、ＤＶＤ１００を図示しない格納部に格納された後に、ピックアップ２０１によって最初に読み出される領域であるため、通常、初期設定においては、ピットデータをスライサ２０７に出力するようになっている。
【００５４】
アンプ２０２は、ピックアップ２０１によって検出されたピットデータに対して予め設定された増幅処理及び波形整形処理等を施し、再生信号を生成して復調部２０３に出力するようになっている。
【００５５】
復調部２０３には、アンプ２０２によって所定の処理が行われた再生信号が入力されるようになっており、この復調部２０３は、再生信号に対して予め設定された復調処理を施し、音声情報および映像情報が暗号化されている暗号化情報、コンテンツ管理情報を生成するようになっている。
【００５６】
また、この復調部２０３は、生成した暗号化情報を復号化部２０４に出力するとともに、生成したコンテンツ管理情報を制御部２０９または外部に出力するようになっている。
【００５７】
復号化部２０４には、復調部２０３によって生成された暗号化情報が入力されるようになっており、この復号化部２０４は、当該暗号化情報に所定の処理の復号化処理を行い、暗号化されたコンテンツ情報を復号化してデコーダ２０５に出力するようになっている。
【００５８】
デコーダ２０５には、復号化されたコンテンツ情報、すなわち、所定の形式を有する音声情報および映像情報が入力されるようになっており、デコーダ２０５は、入力された所定形式を有する音声情報および映像情報を元のデータ形式に復調して外部に出力するようになっている。
【００５９】
フィルタ２０６には、図６（ａ）に示すようなピックアップ２０１によって検出されたピットデータ（再生信号）が入力されるようになっており、このフィルタ２０６は、図６（ｂ）に示すように、入力されたピットデータに対して高域成分をカットして、スライサ２０７に出力するようになっている。
【００６０】
スライサ２０７には、高域成分がカットされたピットデータが入力されるようになっており、このスライサ２０７は、図６（ｃ）に示すように、入力されたピットデータに対して予め定められたレベル（スライスレベル）に基づいて２値化処理を行い、ビットデータを取得し、この取得されたビットデータをＢＣＡデータデコーダ２０８に出力するようになっている。
【００６１】
ＢＣＡデータデコーダ２０８には、スライサ２０７より出力されたビットデータが入力されるようになっており、このＢＣＡデータデコーダ２０８は、入力されたビットデータに対して予め定められた復調処理およびエラー訂正処理を行ってＢＣＡデータを取得し、このＢＣＡデータを制御に出力するようになっている。
【００６２】
制御部２０９は、主に、中央演算処理装置（以下、ＣＰＵという）とメモリから構成され、上記コンテンツ情報の再生時の各部の制御および後述するＢＣＡデータの取得処理の制御等を行うようになっている。
【００６３】
特に、この制御部２０９には、ＢＣＡデータデコーダ２０８によって取得されたＢＣＡデータが入力されるようになっており、制御部２０９は、入力されたＢＣＡデータに基づいてＤＶＤ１００の再生時の各部の設定および制御を行うようになっている。
【００６４】
なお、このＢＣＡデータを取得するための取得処理の動作の詳細については、後述する。
【００６５】
このように、本実施形態では、ＢＣＡ領域１０３にある鏡面部とピットデータある部位では信号レベルが異なることから、検出されたピットデータに対してフィルタ処理および２値化処理を行うことによって、ビットデータを取得することができるようになっている。
【００６６】
次に、図７を用いて本実施形態の再生動作時におけるＢＣＡデータの取得処理について説明する。
【００６７】
なお、図７は、本実施形態のＢＣＡデータの取得処理の動作を示すフローチャートである。
【００６８】
まず、ＤＶＤ１００が図示しない格納部に入力されると、制御部２０９は、ピックアップ２０１にＤＶＤ１００を最内周から外周に向かって光ビームの射出を開始させ、ピットデータをフィルタ２０６に出力させる（ステップＳ１１）。
【００６９】
次いで、フィルタ２０６は、ピットデータが入力されると、予め定められた周波数以上の高域成分をカットしてスライサ２０７に出力する（ステップＳ１２）。
【００７０】
次いで、スライサ２０７は、高域成分がカットされたピットータに対して、予め定められた信号レベルに基づいて２値化処理を行い、ビットデータを生成してＢＣＡデータデコーダ２０８に出力する（ステップＳ１３）。
【００７１】
最後、ＢＣＡデータデコーダ２０８は、ビットデータが入力されると、入力されたビットデータに基づいてＢＣＡデータを取得し、取得されたＢＣＡデータを制御部２０９に出力して本動作が終了する（ステップＳ１４）。
【００７２】
なお、制御部２０９は、入力されたＢＣＡデータに基づいて各部の設定および各部の制御を行うようになっている。
【００７３】
以上本実施形態によれば、コンテンツ情報が記録される記録領域１０５と、コンテンツ情報の再生を制御する制御情報が、各トラック毎に位相ピットを回転方向に帯状に形成させ、当該各トラック毎の帯状の位相ピットを当該光ディスクの何れの半径方向に対しても同一に配列させることによって記録されるＢＣＡ領域１０３と、が設けられ、ＢＣＡ領域１０３には、各ビットが位相ピットの回転方向のピット数と半径方向の位相ピットの配列によって形成されて制御情報が記録される構成を有している。
【００７４】
この構成により、本実施形態では、ＢＣＡ領域１０３には、各ビットが位相ピットの回転方向のピット数と半径方向の位相ピットの配列によって形成されて制御情報が記録される。
【００７５】
一般的には、再生専用のＤＶＤにおいても上述の反射膜を用いることによってＢＣＡデータを記録することもできるが、他の記録領域の位相ピット構造とは異なる構造を必要とするため、この場合はコストアップすることになる。
【００７６】
本実施形態では、上述のような構成を有することによって、当該ＢＣＡ領域１０３を有するＤＶＤ１００を再生する場合に、ピックアップ２０１がデータを読み出すトラックに対して、ＢＣＡ領域１０３に記録されたデータを反射膜によって生成されるＢＣＡデータと同様の形状を形成することができる。
【００７７】
したがって、ＢＣＡデータを再生するための再生機構によって当該ＢＣＡ領域１０３に記録された位相ピットデータをＢＣＡデータとして読み出すことができるとともに、ＢＣＡデータを再生するための再生機構のみによって書き換え用ＤＶＤと再生専用ＤＶＤの両者のＤＶＤ１００を容易にかつ的確に再生することができる。
【００７８】
また、本実施形態では、位相ピットの反射率に基づいてＤＶＤ１００から各ピットデータを読み出すピックアップ２０１と、読み出された各ピットデータに対して予め定められた波形処理を行うフィルタ２０６と、波形処理されたデータに対して２値化処理を行うスライサ２０７と、２値化処理されたビットデータに基づいて制御情報を生成するＢＣＡデータデコーダ２０８とを備えた構成を有している。
【００７９】
この構成により、本実施形態では、各ビットが位相ピットの回転方向のピット数または各ピットのピット幅の少なくとも何れか一方と半径方向の位相ピットの配列によって形成されて制御情報が記録されるＢＣＡ領域１０３に記録されたデータに対して、予め設定された波形処理を行うとともに、２値化処理を行い、ＢＣＡデータを生成する。
【００８０】
したがって、ＢＣＡ領域１０３に記録されたデータを反射膜によって生成されるＢＣＡデータと、同様の形状を形成することができ、ＢＣＡデータを再生するための再生機構によって当該ＢＣＡ領域１０３に記録された位相ピットデータをＢＣＡデータとして読み出すことができるとともに、再生専用のＤＶＤ１００に対応する再生機構、すなわち、ＰＥＰ領域に記録されたＰＥＰデータを再生するための再生機構を用いる必要がなく、ＢＣＡデータを再生するための再生機構のみによって書き換え用ＤＶＤと再生専用ＤＶＤの両者のＤＶＤを再生することができる。
【００８１】
また、本実施形態では、ＢＣＡ領域には、位相ピットの回線方向の各ピット幅が１ビット長の１／４以下、または、ピット数の全体の幅が１ビット長の１／４以下により形成された各ビットによって制御情報が記録される。
【００８２】
上述のように、通常、ＢＣＡ領域を反射膜で生成する場合には、反射膜を破壊除去することによってＢＣＡデータを記録することから、破壊除去された反射膜の部分が大きいと当該反射膜がはがれやすくなるため、ＢＣＡデータの１ビットのビット長が１／４以下により形成されている。
【００８３】
具体的には、通常、書き換え型のＤＶＤなど相変化材料によって記録膜が形成されている場合、制御データを記録する再生制御領域では、ＢＣＡデータなどの制御情報を記録する前の記録膜に対する平均反射率は２０％程度を示す。
【００８４】
このため、記録膜に制御情報を記録する場合に、１のビットデータを示す領域を半分にし、回転方向に対して当該領域の前部と後部の記録膜の有無の組み合わせによって１のビットデータを構成すると、制御情報が記録された記録膜に対する平均反射率は、１０％程度に留まることになり、平均反射率が低下するので、情報の読み出し及び書き込みの際のフォーカシングに悪影響を与えることになる。
【００８５】
したがって、相変化材料によって記録膜が形成されている書き換え系のＤＶＤでは、ＢＣＡデータによって制御情報を記録する場合には、フォーカスの設定を容易かつ安定に行うために、１ビットデータを形成する際の膜を破壊する領域を１ビットの１／４以下に形成し、平均反射率を１５％以上にしている。
【００８６】
本実施形態では、上記構成により、位相ピットの回線方向の各ピット幅を１ビット長の１／４以下、または、ピット数の全体の幅を１ビット長の１／４以下により形成されているので、ＢＣＡデータの互換性を確保することができ、ＢＣＡデータを再生するための再生機構のみによって書き換え用ＤＶＤと再生専用ＤＶＤの両者のＤＶＤを再生することができる。
【００８７】
なお、本実施形態の再生装置２００において、ＤＶＤ１００のＢＣＡ領域１０３のＢＣＡデータがＤＶＤ１００の周回方向の複数のピット構造に基づいて形成されるようになっているが、当該ＢＣＡデータが上述の単一ピットで形成されている場合には、図８に示すように、ピックアップ２０１から直接にスライサ２０７に検出されたピットデータを入力するようになる。
【００８８】
この場合、当該スライサ２０７は、図９に示すように、入力されたピットデータに対して、予め定められた信号レベル（スライスレベル）に基づいて２値化処理を行うようになる。
【００８９】
また、本実施形態の再生装置は、フィルタによって複数のピットデータと鏡面部に基づいてビットデータを生成するようになっているが、ビットデータを構成する複数のピットデータを直接スライサに入力させ、２値化処理後に複数のピット毎にビットデータの基になる１のパルスデータを生成するようにしてもよい。
【００９０】
この場合、再生装置には上述の実施形態のフィルタに代えてワンショットバイブレータが配設されるようになっており、その他の構成は上述の実施形態と同様である。
【００９１】
具体的には、再生装置４００は、図１０に示すように、ピックアップ２０１と、アンプ２０２と、復調部２０３と、復号化部２０４と、デコーダ２０５と、入力されたピットデータに対して２値化処理するスライサ２０７と、２値化処理されたピットデータに基づいて予め定められた処理を行うワンショットマルチバイブレータ４０１と、２値化処理されたピットデータをＢＣＡデータにデコードするＢＣＡデータデコーダ２０８と、バスを介して必要な制御情報の授受を行いつつ上記各構成部材を統括制御するとともに、ＢＣＡデータに基づいて制御情報を生成する制御部２０９と、を備えようになっている。
【００９２】
スライサ２０７には、ピックアップ２０１から直接に検出されたピットデータを入力されるようになっており、このスライサ２０７は、図１１（ａ）（ｂ）に示すように、入力されたピットデータに対して、予め定められた信号レベル（スライスレベル）に基づいて２値化処理を行い、２値化処理されたピットデータをワンショットマルチバイブレータ４０１に出力するようになっている。
【００９３】
また、ワンショットマルチバイブレータ４０１は、入力されたピットデータに基づいて、１ビットのビットデータの基になるパルスを生成し、生成したパルスをＢＣＡデータデコーダ２０８に出力するようになっている。
【００９４】
具体的には、ワンショットマルチバイブレータは、図１１（ｃ）に示すように、ピットデータが入力された場合には、複数のピット部分の長さを有するパルスを生成するようになっている。
【００９５】
このような構成を有することにより、上述の実施形態と同様の効果を得ることができるようになっている。
【００９６】
また、本実施形態では、ＢＣＡデータを再生装置２００によって取得するようになっているが、当該再生装置２００に上述した再生動作を行う再生プログラムを記録した記録媒体と、当該再生プログラムを読み出して実行するコンピュータとを備えることによって上述の再生動作を実現するようにしてもよい。
【図面の簡単な説明】
【図１】ＢＣＡ領域に記録される再生信号とＢＣＡデータの対応を説明するための図である。
【図２】本願に係る本実施形態における光ディスク（ＤＶＤ）の物理構造を示す図である。
【図３】一実施形態における位相ピットによってＢＣＡを形成する場合の物理構造を説明するための図である。
【図４】一実施形態における１のＢＣＡデータを形成する位相ピットの詳細図である。
【図５】本願に係る一実施形態の再生装置の構成を示すブロック図である。
【図６】一実施形態のフィルタ処理および２値化処理によるデータ処理を説明するための図である。
【図７】一実施形態のＢＣＡ領域に記録された制御情報を読み出す動作を示すフローチャートである。
【図８】本願に係る他の実施形態の再生装置の構成を示すブロック図である。
【図９】他の実施形態の２値化処理によるデータ処理を説明するための図である。
【図１０】本願に係る他の実施形態の再生装置の構成を示すブロック図である。
【図１１】他の実施形態の２値化処理およびパルス生成処理によるデータ処理を説明するための図である。
【符号の説明】
１００  …  ＤＶＤ
１０３  …  ＢＣＡ領域
１０５  …  記録領域
２００、３００、４００  …  再生装置
２０６  …  フィルタ
２０７  …  スライサ
２０８  …  ＢＣＡデータデコーダ
２０９  …  制御部
４０１  …  ワンショットバイブレータ
【図１】
2004164758.tif 000003
【図２】
2004164758.tif 000004
【図３】
2004164758.tif 000005
【図４】
2004164758.tif 000006
【図５】
2004164758.tif 000007
【図６】
2004164758.tif 000008
【図７】
2004164758.tif 000009
【図８】
2004164758.tif 000010
【図９】
2004164758.tif 000011
【図１０】
2004164758.tif 000012
【図１１】
2004164758.tif 000013